(57)【要約】【課題】無線通信システムにおける拡張データ・レート制御インデックスのための方法及び装置。【解決手段】１つの実施形態では、本特許出願は、少なくとも１つのセクタに複数のＤＲＣカバーを割り当てることを具備するＤＲＣインデックスを拡張するための装置、方法、及び手段を具備する。別の１つの実施形態では、ＤＲＣインデックスを拡張するための装置、方法及び手段は、拡張ＤＲＣインデックス・リストを生成すること、該拡張ＤＲＣインデックス・リストへのＤＲＣカバーのマッピングをアクセス端末に送ること、及び該アクセス端末からの送信の要請でセクタと該ＤＲＣインデックス・リストからＤＲＣインデックスとを決定するために該マッピングを使用することをさらに具備する。【選択図】図７
2009503947.tif 000002
【特許請求の範囲】
【請求項１】
ＤＲＣインデックスを拡張するための方法であって、
少なくとも１つのセクタに複数のＤＲＣカバーを割り当てること、
を具備する方法。
【請求項２】
拡張ＤＲＣインデックス・リストを生成すること、
該拡張ＤＲＣインデックス・リストへのＤＲＣカバーのマッピングをアクセス端末に送ること、及び
該アクセス端末からの送信の要請でセクタと該ＤＲＣインデックス・リストからＤＲＣインデックスとを決定するために該マッピングを使用すること
をさらに具備する、請求項１にしたがってＤＲＣインデックスを拡張するための方法。
【請求項３】
少なくとも１つのセクタに複数のＤＲＣカバーを割り当てる該ステップは：
アクティブ・セット・サイズがしきい値よりも小さいか又は等しい場合には、該アクティブ・セット中の各前記セクタに前記ＤＲＣカバーのうちの複数を割り当てること；及び
前記アクティブ・セット・サイズが前記しきい値よりも大きい場合には、前記しきい値よりも少ない数のセクタに前記ＤＲＣカバーのうちの複数を割り当てること、
を備えることを特徴とする、請求項１にしたがった方法。
【請求項４】
少なくとも１つのセクタに複数のＤＲＣカバーを割り当てる該ステップは：
アクティブ・セット中のセクタの数がしきい値よりも大きいかどうかを判断すること；
該アクティブ・セット中の該セクタの数が前記しきい値よりも小さいか又は等しい場合には、該アクティブ・セット中の各セクタに前記ＤＲＣカバーのうちの複数を割り当てること；及び
該アクティブ・セット中の該セクタの数が前記しきい値よりも大きい場合には、前記しきい値よりも少ない数のセクタに前記ＤＲＣカバーのうちの複数を割り当てること、
を備えることを特徴とする、請求項１にしたがった方法。
【請求項５】
少なくとも１つのセクタに複数のＤＲＣカバーを割り当てる該ステップは：
ａ）アクティブ・セット中の前記セクタの数がしきい値よりも大きいかどうかを判断すること；
ｂ）該アクティブ・セット中の前記セクタの数が前記しきい値よりも小さいか又は等しい場合には、該アクティブ・セット中の各セクタに前記ＤＲＣカバーのうちの複数を割り当てること；
ｃ）もし該アクティブ・セット中のパイロットの相対強度が変化し、そして該アクティブ・セット中の前記セクタの数が前記しきい値よりも大きい場合には、ルート更新メッセージでセクタ・パイロット強度を送信すること；及び
ｄ）該アクティブ・セット中の前記セクタの数が前記しきい値よりも大きい場合には、該アクティブ・セット中の前記セクタの最も強いもののうちの前記しきい値よりも少ない数に複数のＤＲＣカバーを割り当てること、
を備えることを特徴とする、請求項１にしたがった方法。
【請求項６】
少なくとも１つのセクタに複数のＤＲＣカバーを割り当てる該ステップは：
ａ）アクティブ・セット中のデータ・ソース制御チャネルによって指示されるセルを識別すること；
ｂ）該データ・ソース制御チャネルによって指示される該識別されたセルに属する前記少なくとも１つのセクタに前記ＤＲＣカバーのうちの複数を割り当てること；
ｃ）前記アクティブ・セット中の全ての前記セルが識別されたかどうかを判断すること；及び
ｄ）前記アクティブ・セット中の全ての前記セルが識別されていない場合には、他の前記セルの他の前記セクタに前記ＤＲＣカバーを割り当てること、
を備えることを特徴とする、請求項１にしたがった方法。
【請求項７】
アクセス・ネットワークに前記ＤＲＣインデックス及び前記ＤＲＣカバーを送信すること；
少なくとも１つの前記少なくとも１つのセクタに複数のＤＲＣカバーを割り当てること；及び
前記アクセス端末に前記ＤＲＣカバー割当てを送ること、
をさらに具備する、請求項２にしたがってＤＲＣインデックスを拡張するための方法。
【請求項８】
前記ＤＲＣインデックスの拡張リストは、１６インデックスの倍数であることを特徴とする、請求項２にしたがった方法。
【請求項９】
該アクティブ・セット中の前記セクタの数が変化するかどうかを判断すること；及び
該アクティブ・セット中の前記セクタの数が変化する場合には、ステップａ，ｂ，ｃ及びｄを繰り返すこと、
をさらに具備する、請求項４にしたがった方法。
【請求項１０】
該アクティブ・セット中の前記セクタの数が変化するかどうかを判断すること；及び
該アクティブ・セット中の前記セクタの数が変化する場合には、ステップａ，ｂ，ｃ及びｄを繰り返すこと、
をさらに具備する、請求項５にしたがった方法。
【請求項１１】
ｅ）前記アクティブ・セット中の全ての前記セルが識別される場合には、該アクティブ・セットへの又はそれからのセルの変更があったかどうかを判断すること；及び
ｆ）前記アクティブ・セット中の全ての前記セルが識別される場合には、もし該アクティブ・セットへの又はそれからのセルの変更があったならば、ステップａ，ｂ，ｃ及びｄを繰り返すこと、
をさらに具備する、請求項６にしたがった方法。
【請求項１２】
該識別されたセルに属する前記少なくとも１つのセクタに前記ＤＲＣカバーのうちの複数を割り当てる前記ステップは：
アクティブ・セット中のセクタの数がしきい値よりも大きいかどうかを判断すること；
該アクティブ・セット中の該セクタの数が前記しきい値よりも小さいか又は等しい場合には、該アクティブ・セット中の各セクタに前記ＤＲＣカバーのうちの複数を割り当てること；及び
該アクティブ・セット中の該セクタの数が前記しきい値よりも大きい場合には、前記しきい値よりも少ない数のセクタに前記ＤＲＣカバーのうちの複数を割り当てること、
を備えることを特徴とする、請求項６にしたがった方法。
【請求項１３】
ＤＲＣインデックスを拡張するための手段であって、
少なくとも１つのセクタに複数のＤＲＣカバーを割り当てるための手段、
を具備する手段。
【請求項１４】
拡張ＤＲＣインデックス・リストを生成するための手段、
該拡張ＤＲＣインデックス・リストへのＤＲＣカバーのマッピングをアクセス端末に送るための手段、及び
該アクセス端末からの送信の要請でセクタと該ＤＲＣインデックス・リストからＤＲＣインデックスとを決定するために該マッピングを使用するための手段
をさらに具備する、請求項１３にしたがってＤＲＣインデックスを拡張するための手段。
【請求項１５】
少なくとも１つのセクタに複数のＤＲＣカバーを割り当てるための前記手段は：
前記アクティブ・セット・サイズがしきい値よりも小さいか又は等しい場合には、アクティブ・セット中の各前記セクタに前記ＤＲＣカバーのうちの複数を割り当てるための手段；及び
前記アクティブ・セット・サイズが前記しきい値よりも大きい場合には、前記しきい値よりも少ないセクタ数に前記ＤＲＣカバーのうちの複数を割り当てるための手段、
を備えることを特徴とする、請求項１３にしたがってＤＲＣインデックスを拡張するための手段。
【請求項１６】
少なくとも１つのセクタに複数のＤＲＣカバーを割り当てるための該手段は：
アクティブ・セット中のセクタの数がしきい値よりも大きいかどうかを判断するための手段；
該アクティブ・セット中の該セクタの数が前記しきい値よりも小さいか又は等しい場合には、該アクティブ・セット中の各セクタに前記ＤＲＣカバーのうちの複数を割り当てるための手段；及び
該アクティブ・セット中の該セクタの数が前記しきい値よりも大きい場合には、前記しきい値よりも少ない数のセクタに前記ＤＲＣカバーのうちの複数を割り当てるための手段、
を備えることを特徴とする、請求項１３にしたがってＤＲＣインデックスを拡張するための手段。
【請求項１７】
少なくとも１つのセクタに複数のＤＲＣカバーを割り当てるための前記手段は：
ａ）アクティブ・セット中の前記セクタの数がしきい値よりも大きいかどうかを判断するための手段；
ｂ）該アクティブ・セット中の前記セクタの数が前記しきい値よりも小さいか又は等しい場合には、該アクティブ・セット中の各セクタに前記ＤＲＣカバーのうちの複数を割り当てるための手段；
ｃ）もし該アクティブ・セット中のパイロットの相対強度が変化し、且つ該アクティブ・セット中の前記セクタの数が前記しきい値よりも大きい場合には、ルート更新メッセージでセクタ・パイロット強度を送信するための手段；及び
ｄ）該アクティブ・セット中の前記セクタの数が前記しきい値よりも大きい場合には、該アクティブ・セット中の前記セクタの最も強いもののうちの前記しきい値よりも少ない数に複数のＤＲＣカバーを割り当てるための手段、
を備えることを特徴とする、請求項１３にしたがってＤＲＣインデックスを拡張するための手段。
【請求項１８】
少なくとも１つのセクタに複数のＤＲＣカバーを割り当てるための前記手段は：
ａ）アクティブ・セット中のデータ・ソース制御チャネルによって指示されるセルを識別するための手段；
ｂ）該データ・ソース制御チャネルによって指示される該識別されたセルに属する前記少なくとも１つのセクタに前記ＤＲＣカバーのうちの複数を割り当てるための手段；
ｃ）前記アクティブ・セット中の全ての前記セルが識別されたかどうかを判断するための手段；及び
ｄ）前記アクティブ・セット中の全ての前記セルが識別されていない場合には、他の前記セルの他の前記セクタに前記ＤＲＣカバーを割り当てるための手段、
を備えることを特徴とする、請求項１３にしたがってＤＲＣインデックスを拡張するための手段。
【請求項１９】
アクセス・ネットワークに前記ＤＲＣインデックス及び前記ＤＲＣカバーを送信するための手段；
少なくとも１つの前記少なくとも１つのセクタに複数のＤＲＣカバーを割り当てるための手段；及び
前記アクセス端末に前記ＤＲＣカバー割当てを送るための手段、
をさらに具備する、請求項１４にしたがってＤＲＣインデックスを拡張するための手段。
【請求項２０】
前記ＤＲＣインデックスの拡張リストは、１６インデックスの倍数であることを特徴とする、請求項１４にしたがってＤＲＣインデックスを拡張するための手段。
【請求項２１】
該アクティブ・セット中の前記セクタの数が変化するかどうかを判断するための手段；及び
該アクティブ・セット中の前記セクタの数が変化する場合には、ステップａ，ｂ，ｃ及びｄを繰り返すための手段、
をさらに具備する、請求項１６にしたがってＤＲＣインデックスを拡張するための手段。
【請求項２２】
該アクティブ・セット中の前記セクタの数が変化するかどうかを判断するための手段；及び
該アクティブ・セット中の前記セクタの数が変化する場合には、ステップａ，ｂ，ｃ及びｄを繰り返すための手段、
をさらに具備する、請求項１７にしたがってＤＲＣインデックスを拡張するための手段。
【請求項２３】
ｅ）前記アクティブ・セット中の全ての前記セルが識別される場合には、該アクティブ・セットへの又はそれからのセルの変更があったかどうかを判断するための手段；及び
ｆ）前記アクティブ・セット中の全ての前記セルが識別される場合には、もし該アクティブ・セットへの又はそれからのセルの変更があったならば、ステップａ，ｂ，ｃ及びｄを繰り返すための手段、
をさらに具備する、請求項１８にしたがってＤＲＣインデックスを拡張するための手段。
【請求項２４】
該識別されたセルに属する前記少なくとも１つのセクタに前記ＤＲＣカバーのうちの複数を割り当てる前記手段は：
アクティブ・セット中のセクタの数がしきい値よりも大きいかどうかを判断するための手段；
該アクティブ・セット中の該セクタの数が前記しきい値よりも小さいか又は等しい場合には、該アクティブ・セット中の各セクタに前記ＤＲＣカバーのうちの複数を割り当てるための手段；及び
該アクティブ・セット中の該セクタの数が前記しきい値よりも大きい場合には、前記しきい値よりも少ない数のセクタに前記ＤＲＣカバーのうちの複数を割り当てるための手段、
を備えることを特徴とする、請求項１８にしたがってＤＲＣインデックスを拡張するための手段。
【請求項２５】
処理ユニット；
前記処理ユニットに動作上で接続されたメモリ、ここにおいて、前記メモリはＤＲＣインデックスを拡張するための命令を備える；
前記処理ユニットに動作上で接続された受信回路系；
前記受信回路系に動作上で接続されたアンテナ；
送信回路系、ここにおいて、前記送信回路系は、前記アンテナに動作上で接続される；及び
前記メモリに動作上で接続され、ＤＲＣインデックスを拡張するための前記命令を実行することに適応したＤＲＣインデックス制御ユニット、
を具備するアクセス端末。
【請求項２６】
ＤＲＣインデックスを拡張するための前記命令は、少なくとも１つのセクタに複数のＤＲＣカバーを割り当てるための命令を備えることを特徴とする、請求項２５にしたがったアクセス端末。
【請求項２７】
少なくとも１つのセクタに複数のＤＲＣカバーを割り当てるための前記命令は、
拡張ＤＲＣインデックス・リストを生成する；
該拡張ＤＲＣインデックス・リストへのＤＲＣカバーのマッピングをアクセス端末に送る；そして
該アクセス端末からの送信の要請でセクタと該ＤＲＣインデックス・リストからＤＲＣインデックスとを決定するために該マッピングを使用する、
をさらに備えることを特徴とする、請求項２６にしたがったアクセス端末。
【請求項２８】
少なくとも１つのセクタに複数のＤＲＣカバーを割り当てるための前記命令は、
アクティブ・セット・サイズがしきい値よりも小さいか又は等しい場合には、該アクティブ・セット中の各前記セクタに前記ＤＲＣカバーのうちの複数を割り当てる；そして
前記アクティブ・セット・サイズが前記しきい値よりも大きい場合には、前記しきい値よりも少ない数のセクタに前記ＤＲＣカバーのうちの複数を割り当てる、
を備えることを特徴とする、請求項２６にしたがったアクセス端末。
【請求項２９】
少なくとも１つのセクタに複数のＤＲＣカバーを割り当てるための前記命令は、
アクティブ・セット中のセクタの数がしきい値よりも大きいかどうかを判断する；
該アクティブ・セット中の該セクタの数が前記しきい値よりも小さいか又は等しい場合には、該アクティブ・セット中の各セクタに前記ＤＲＣカバーのうちの複数を割り当てる；そして
該アクティブ・セット中の該セクタの数が前記しきい値よりも大きい場合には、前記しきい値よりも少ない数のセクタに前記ＤＲＣカバーのうちの複数を割り当てること、
を備えることを特徴とする、請求項２６にしたがったアクセス端末。
【請求項３０】
少なくとも１つのセクタに複数のＤＲＣカバーを割り当てるための前記命令は、
ａ）アクティブ・セット中の前記セクタの数がしきい値よりも大きいかどうかを判断する；
ｂ）該アクティブ・セット中の前記セクタの数が前記しきい値よりも小さいか又は等しい場合には、該アクティブ・セット中の各セクタに前記ＤＲＣカバーのうちの複数を割り当てる；
ｃ）もし該アクティブ・セット中のパイロットの相対強度が変化し、且つ該アクティブ・セット中の前記セクタの数が前記しきい値よりも大きい場合には、ルート更新メッセージでセクタ・パイロット強度を送信する；そして
ｄ）該アクティブ・セット中の前記セクタの数が前記しきい値よりも大きい場合には、該アクティブ・セット中の前記セクタの最も強いもののうちの前記しきい値よりも少ない数に複数のＤＲＣカバーを割り当てる、
を備えることを特徴とする、請求項２６にしたがったアクセス端末。
【請求項３１】
少なくとも１つのセクタに複数のＤＲＣカバーを割り当てるための前記命令は、
ａ）アクティブ・セット中のデータ・ソース制御チャネルによって指示されるセルを識別する；
ｂ）該データ・ソース制御チャネルによって指示される該識別されたセルに属する前記少なくとも１つのセクタに前記ＤＲＣカバーのうちの複数を割り当てる；
ｃ）前記アクティブ・セット中の全ての前記セルが識別されたかどうかを判断する；そして
ｄ）前記アクティブ・セット中の全ての前記セルが識別されていない場合には、他の前記セルの他の前記セクタに前記ＤＲＣカバーを割り当てること、
を備えることを特徴とする、請求項２６にしたがったアクセス端末。
【請求項３２】
少なくとも１つのセクタに複数のＤＲＣカバーを割り当てるための前記命令は、
アクセス・ネットワークに前記ＤＲＣインデックス及び前記ＤＲＣカバーを送信する；
少なくとも１つの前記少なくとも１つのセクタに複数のＤＲＣカバーを割り当てる；そして
前記アクセス端末に前記ＤＲＣカバー割当てを送る、
をさらに備えることを特徴とする、請求項２７にしたがったアクセス端末。
【請求項３３】
前記ＤＲＣインデックスの拡張リストは、１６インデックスの倍数であることを特徴とする、請求項２７にしたがったアクセス端末。
【請求項３４】
少なくとも１つのセクタに複数のＤＲＣカバーを割り当てるための前記命令は、
該アクティブ・セット中の前記セクタの数が変化するかどうかを判断する；そして
該アクティブ・セット中の前記セクタの数が変化する場合には、命令ａ，ｂ，ｃ及びｄを繰り返す、
をさらに備えることを特徴とする、請求項２９にしたがったアクセス端末。
【請求項３５】
少なくとも１つのセクタに複数のＤＲＣカバーを割り当てるための前記命令は、
ｅ）該アクティブ・セット中の前記セクタの数が変化するかどうかを判断する；そして
ｆ）該アクティブ・セット中の前記セクタの数が変化する場合には、ステップａ，ｂ，ｃ及びｄを繰り返す、
をさらに備えることを特徴とする、請求項３０にしたがったアクセス端末。
【請求項３６】
少なくとも１つのセクタに複数のＤＲＣカバーを割り当てるための前記命令は、
ｅ）前記アクティブ・セット中の全ての前記セルが識別される場合には、該アクティブ・セットへの又はそれからのセルの変更があったかどうかを判断する；そして
ｆ）前記アクティブ・セット中の全ての前記セルが識別される場合には、もし該アクティブ・セットへの又はそれからのセルの変更があったならば、命令ａ，ｂ，ｃ及びｄを繰り返す、
をさらに備えることを特徴とする、請求項３１にしたがったアクセス端末。
【請求項３７】
該識別されたセルに属する前記少なくとも１つのセクタに前記ＤＲＣカバーのうちの複数を割り当てるための前記命令は、
アクティブ・セット中のセクタの数がしきい値よりも大きいかどうかを判断する；
該アクティブ・セット中の該セクタの数が前記しきい値よりも小さいか又は等しい場合には、該アクティブ・セット中の各セクタに前記ＤＲＣカバーのうちの複数を割り当てる；そして
該アクティブ・セット中の該セクタの数が前記しきい値よりも大きい場合には、前記しきい値よりも少ない数のセクタに前記ＤＲＣカバーのうちの複数を割り当てる、
を備えることを特徴とする、請求項３１にしたがったアクセス端末。
【請求項３８】
基地局コントローラ；及び
前記基地局コントローラに動作上で接続された少なくとも１つの基地局、
を具備し、ここにおいて、前記基地局コントローラ及び前記基地局は、
少なくとも１つのメモリ、ここにおいて、前記メモリはＤＲＣインデックスを拡張するための命令を備え、及び
前記メモリに動作上で接続された少なくとも１つのチャネル・スケジューラ、
を具備し、ここにおいて、前記チャネル・スケジューラはＤＲＣインデックスを拡張するための前記命令を実行することに適応する、
ことを特徴とする、アクセス・ネットワーク。
【請求項３９】
ＤＲＣインデックスを拡張するための前記命令は、少なくとも１つのセクタに複数のＤＲＣカバーを割り当てるための命令を備えることを特徴とする、請求項３８にしたがった基地局。
【請求項４０】
少なくとも１つのセクタに複数のＤＲＣカバーを割り当てるための前記命令は、
拡張ＤＲＣインデックス・リストを生成する；
該拡張ＤＲＣインデックス・リストへのＤＲＣカバーのマッピングをアクセス端末に送る；そして
該アクセス端末からの送信の要請でセクタと該ＤＲＣインデックス・リストからＤＲＣインデックスとを決定するために該マッピングを使用する、
をさらに備えることを特徴とする、請求項３９にしたがった基地局。
【請求項４１】
少なくとも１つのセクタに複数のＤＲＣカバーを割り当てるための前記命令は、
アクティブ・セット・サイズがしきい値よりも小さいか又は等しい場合には、該アクティブ・セット中の各前記セクタに前記ＤＲＣカバーのうちの複数を割り当てる；そして
前記アクティブ・セット・サイズが前記しきい値よりも大きい場合には、前記しきい値よりも少ない数のセクタに前記ＤＲＣカバーのうちの複数を割り当てる、
を備えることを特徴とする、請求項３９にしたがった基地局。
【請求項４２】
少なくとも１つのセクタに複数のＤＲＣカバーを割り当てるための前記命令は、
アクティブ・セット中のセクタの数がしきい値よりも大きいかどうかを判断する；
該アクティブ・セット中の該セクタの数が前記しきい値よりも小さいか又は等しい場合には、該アクティブ・セット中の各セクタに前記ＤＲＣカバーのうちの複数を割り当てる；そして
該アクティブ・セット中の該セクタの数が前記しきい値よりも大きい場合には、前記しきい値よりも少ない数のセクタに前記ＤＲＣカバーのうちの複数を割り当てること、
を備えることを特徴とする、請求項３９にしたがった基地局。
【請求項４３】
少なくとも１つのセクタに複数のＤＲＣカバーを割り当てるための前記命令は、
ａ）アクティブ・セット中の前記セクタの数がしきい値よりも大きいかどうかを判断する；
ｂ）該アクティブ・セット中の前記セクタの数が前記しきい値よりも小さいか又は等しい場合には、該アクティブ・セット中の各セクタに前記ＤＲＣカバーのうちの複数を割り当てる；
ｃ）もし該アクティブ・セット中のパイロットの相対強度が変化し、且つ該アクティブ・セット中の前記セクタの数が前記しきい値よりも大きい場合には、ルート更新メッセージでセクタ・パイロット強度を送信する；そして
ｄ）該アクティブ・セット中の前記セクタの数が前記しきい値よりも大きい場合には、該アクティブ・セット中の前記セクタの最も強いもののうちの前記しきい値よりも少ない数に複数のＤＲＣカバーを割り当てる、
を備えることを特徴とする、請求項３９にしたがった基地局。
【請求項４４】
少なくとも１つのセクタに複数のＤＲＣカバーを割り当てるための前記命令は、
ａ）アクティブ・セット中のデータ・ソース制御チャネルによって指示されるセルを識別する；
ｂ）該データ・ソース制御チャネルによって指示される該識別されたセルに属する前記少なくとも１つのセクタに前記ＤＲＣカバーのうちの複数を割り当てる；
ｃ）前記アクティブ・セット中の全ての前記セルが識別されたかどうかを判断する；そして
ｄ）前記アクティブ・セット中の全ての前記セルが識別されていない場合には、他の前記セルの他の前記セクタに前記ＤＲＣカバーを割り当てること、
を備えることを特徴とする、請求項３９にしたがった基地局。
【請求項４５】
少なくとも１つのセクタに複数のＤＲＣカバーを割り当てるための前記命令は、
前記アクセス・ネットワークに前記ＤＲＣインデックス及び前記ＤＲＣカバーを送信する；
少なくとも１つの前記少なくとも１つのセクタに複数のＤＲＣカバーを割り当てる；そして
前記アクセス端末に前記ＤＲＣカバー割当てを送る、
をさらに備えることを特徴とする、請求項４０にしたがった基地局。
【請求項４６】
前記ＤＲＣインデックスの拡張リストは、１６インデックスの倍数であることを特徴とする、請求項４０にしたがった基地局。
【請求項４７】
少なくとも１つのセクタに複数のＤＲＣカバーを割り当てるための前記命令は、
該アクティブ・セット中の前記セクタの数が変化するかどうかを判断する；そして
該アクティブ・セット中の前記セクタの数が変化する場合には、命令ａ，ｂ，ｃ及びｄを繰り返す、
をさらに備えることを特徴とする、請求項４２にしたがった基地局。
【請求項４８】
少なくとも１つのセクタに複数のＤＲＣカバーを割り当てるための前記命令は、
ｅ）該アクティブ・セット中の前記セクタの数が変化するかどうかを判断する；そして
ｆ）該アクティブ・セット中の前記セクタの数が変化する場合には、ステップａ，ｂ，ｃ及びｄを繰り返す、
をさらに備えることを特徴とする、請求項４３にしたがった基地局。
【請求項４９】
少なくとも１つのセクタに複数のＤＲＣカバーを割り当てるための前記命令は、
ｅ）前記アクティブ・セット中の全ての前記セルが識別される場合には、該アクティブ・セットへの又はそれからのセルの変更があったかどうかを判断する；そして
ｆ）前記アクティブ・セット中の全ての前記セルが識別される場合には、もし該アクティブ・セットへの又はそれからのセルの変更があったならば、命令ａ，ｂ，ｃ及びｄを繰り返す、
をさらに備えることを特徴とする、請求項４４にしたがった基地局。
【請求項５０】
該識別されたセルに属する前記少なくとも１つのセクタに前記ＤＲＣカバーのうちの複数を割り当てるための前記命令は、
アクティブ・セット中のセクタの数がしきい値よりも大きいかどうかを判断する；
該アクティブ・セット中の該セクタの数が前記しきい値よりも小さいか又は等しい場合には、該アクティブ・セット中の各セクタに前記ＤＲＣカバーのうちの複数を割り当てる；そして
該アクティブ・セット中の該セクタの数が前記しきい値よりも大きい場合には、前記しきい値よりも少ない数のセクタに前記ＤＲＣカバーのうちの複数を割り当てる、
を備えることを特徴とする、請求項４４にしたがった基地局。
【発明の詳細な説明】
【関連文献】
【０００１】
［米国特許法３５§１１９による優先権の主張］
本出願は、２００５年７月２０日に出願され、そして米国特許出願番号第６０／７０１，３７４号を割り当てられた“無線通信システムにおける拡張データ・レート制御インデックスのための方法及び装置（Method and Apparatus for Expanded Data Rate Control Indices in a Wireless Communication System）”という名称の米国特許仮出願の利益を主張し、本出願の開示全体は、この出願の開示の一部と見なされる。
【技術分野】
【０００２】
特許に関する本出願は、一般にデータ・レート制御インデックスに係り、そしてより詳しくは、データ・レート制御インデックスのマッピングに関する。
【背景技術】
【０００３】
通信システムは、１つのキャリア周波数又は複数のキャリア周波数を使用することができる。無線通信システムにおいて、順方向リンクは、ネットワークから遠隔局への通信を呼び、一方で、逆方向リンクは、遠隔局からネットワークへの通信を呼ぶ。データ・レート制御チャネル（ＤＲＣ：Data Rate control Channel）は、データがそのレートでアクセス端末に配信されるデータ・レートを制御するために使用される。
【発明の開示】
【本発明のサマリー】
【０００４】
上記の観点から、本発明の記載される特徴は、一般にデータ通信のための１又はそれより多くの改善されたシステム、方法及び／又は装置に関係する。１つの実施形態では、本特許出願は、少なくとも１つのセクタに複数のＤＲＣカバーを割り当てることを具備するＤＲＣインデックスを拡張するための装置、方法、及び手段を含む。
【０００５】
別の１つの実施形態では、ＤＲＣインデックスを拡張するための装置、方法及び手段は、拡張ＤＲＣインデックス・リストを生成すること、該拡張ＤＲＣインデックス・リストへのＤＲＣカバーのマッピングをアクセス端末に送ること、及び該アクセス端末からの送信の要請でセクタと該ＤＲＣインデックス・リストからＤＲＣインデックスとを決定するために該マッピングを使用することをさらに具備する。
【０００６】
別の１つの実施形態では、少なくとも１つのセクタに複数のＤＲＣカバーを割り当てるための装置、方法及び手段は、アクティブ・セット・サイズがしきい値よりも小さいか又は等しい場合には、該アクティブ・セット中の各前記セクタに該ＤＲＣカバーのうちの複数を割り当てること；及び該アクティブ・セット・サイズが該しきい値よりも大きい場合には、該しきい値よりも少ない数のセクタに該ＤＲＣカバーのうちの複数を割り当てること、を具備する。
【０００７】
［詳細な説明］
本明細書ではアクセス端末（ＡＴ：access terminal）と呼ばれる高データ・レート（ＨＤＲ：High Data Rate）加入者局は、移動できる又は固定であることがあり、そして１又はそれより多くのＨＤＲ基地局（図１参照）（これは本明細書ではモデム・プール・トランシーバ（ＭＰＴ：Modem Pool Transceiver）と呼ばれる）と通信することができる。アクセス端末は、ＨＤＲ基地局コントローラ（本明細書ではモデム・プール・コントローラ（ＭＰＣ：Modem Pool Controller）と呼ばれる）に１又はそれより多くのモデム・プール・トランシーバを経由してデータ・パケットを送信し、そして受信する。モデム・プール・トランシーバ及びモデム・プール・コントローラは、アクセス・ネットワークと呼ばれるネットワークの一部分である。アクセス・ネットワーク（ＡＮ：access network）は、複数のアクセス端末間でデータ・パケットを伝達する。アクセス・ネットワークは、そのアクセス・ネットワークの外部のその他のネットワーク、例えば、社内イントラネット又はインターネット、にさらに接続されることができ、そして各端末とそのような外部ネットワークとの間でデータ・パケットを伝達することができる。１又はそれより多くのモデム・プール・トランシーバとアクティブなトラフィック・チャネル接続を既に確立したアクセス端末は、アクティブなアクセス端末と呼ばれ、そしてトラフィック状態にあると言われる。１又はそれより多くのモデム・プール・トランシーバとアクティブなトラフィック・チャネル接続を確立するプロセスの途上であるアクセス端末は、接続設定状態にあると言われる。アクセス端末は、任意のデータ・デバイスであり得て、それは無線チャネルを経由して、又は有線チャネル、例えば、光ファイバ又は同軸ケーブルを使用する、を経由して通信する。アクセス端末は、さらに、ＰＣカード、コンパクト・フラッシュ、外部モデム又は内部モデム、若しくはワイアレス電話機又は有線電話機を含む任意の複数のタイプのデバイスであり得るが、それらに限定されない。そのリンクを経由してアクセス端末がモデム・プール・トランシーバに信号を送る通信リンクは、逆方向リンクと呼ばれる。そのリンクを経由してモデム・プール・トランシーバがアクセス端末に信号を送る通信リンクは、順方向リンクと呼ばれる。
【０００８】
通信システムのためのアーキテクチャ参照モデルは、無線インターフェース（air interface）を介してアクセス端末、ＡＴ１０６、と通信するアクセス・ネットワーク、ＡＮ１２２、を含むことができる。１つの実施形態では、システム１０は、ＨＤＲ規格により規定されるような高データ・レート、ＨＤＲ、オーバーレイ・システムを有する符号分割多元接続、ＣＤＭＡ（Code Division-Multiple Access）、システムである。ＡＮ１２２は、無線インターフェースを経由してＡＴ１０６と、同様にシステム内のいずれかの他のＡＴ１０６と通信する。ＡＮ１２２は、複数のセクタを含み、そこでは各セクタは少なくとも１つのチャネルを提供する。チャネルは、所与の周波数割当ての範囲内でＡＮ１２２とＡＴ１０６との間の送信のための通信リンクの集合として定義される。チャネルは、ＡＮ１２２からＡＴ１０６への送信のための順方向リンク（ＦＬ：Forward Link）とＡＴ１０６からＡＮ１２２への送信のための逆方向リンク（ＲＬ：Reverse Link）から構成される。
【０００９】
データ伝送に関して、ＡＮ１２２は、ＡＴ１０６からデータ要求を受信する。データ要求は、そのデータが送られようとしているデータ・レート、伝送されるデータ・パケットの長さ、及びデータがそこから送られるべきセクタを指定する。ＡＴ１０６は、ＡＮ１２２とＡＴ１０６との間のチャネルの品質に基づいてデータ・レートを決定する。１つの実施形態では、チャネルの品質は、キャリア対干渉比、Ｃ／Ｉ、によって決定される。代わりの実施形態は、例えば、ＡＴ１０６において受信される信号対干渉及びノイズ比（ＳＩＮＲ：signal-to-interference-and-noise ratio）のような、チャネルの品質に対応する他の測定基準を使用することができる。ＡＴ１０６は、ＤＲＣ（Data Rate Control）チャネルと呼ばれる特定のチャネルを介してデータ・レート制御（ＤＲＣ）メッセージを送ることによってデータ伝送の要求を与える。ＤＲＣメッセージは、データ・レート部分とセクタ部分とを含む。データ・レート部分は、ＡＮ１２２がデータを送るために要求されるデータ・レートを指示し、そしてセクタ部分は、ＡＮ１２２がそこからデータを送るべきセクタを指示する。データ・レート情報及びセクタ情報の両者は、データ伝送を処理するために一般的に必要である。データ・レート部分は、ＤＲＣ値と呼ばれ、そしてセクタ部分は、ＤＲＣカバーと呼ばれる。ＤＲＣ値は、無線インターフェースを介してＡＮ１２２に送られるメッセージである。１つの実施形態では、各ＤＲＣ値は、予め決められたＤＲＣ値割当てにしたがった関連パケット長を有するｋｂｉｔｓ／ｓｅｃの単位のデータ・レートに対応する。その割当ては、ヌル・データ・レートを指定するＤＲＣ値を含む。実際には、ヌル・データ・レートは、ＡＴがデータを受信することが不可能であることをＡＮに指示する。１つの状況では、例えば、ＡＴ１０６がデータを正確に受信するためには、チャネルの品質が不十分である。
【００１０】
動作上では、ＡＴ１０６は、チャネルの品質を継続的にモニタすることができ、ＡＴ１０６がそのレートで次のデータ・パケット送信を受信することが可能なデータ・レートを計算することができる。ＡＴ１０６は、次に対応するＤＲＣ値を生成する；ＤＲＣ値は、データ伝送を要請するためにＡＮ１２２に送信される。一般的にデータ伝送は、複数のパケットへと区分されることに注意する。データのパケットを伝送するために必要な時間は、適用されるデータ・レートの関数である。
【００１１】
このＤＲＣ信号は、同様に情報も提供し、その情報をチャネル・スケジューラ１３２は、各キューに関係付けられるそれぞれの遠隔局１０６に対する情報を取り切るための（すなわち、送信されたデータを受信するための）瞬間的なレートを決定するために使用する。１つの実施形態にしたがって、いずれかの遠隔局１０６から送信されるＤＲＣ信号は、複数の有効なデータ・レートのうちのいずれか１つでその遠隔局１０６がデータを受信することが可能であることを示す。
【００１２】
ＨＤＲ送信をサポートし、そして複数のユーザへの送信をスケジュールすることに適合した通信システムの一例が、図２に例示される。図２は、下記に詳細に説明され、そこでは特に、基地局１６０と基地局コントローラ１３０は、パケット・ネットワーク・インターフェース１４６とインターフェースで接続する。基地局コントローラ１３０は、システム１２０における送信のためのスケジューリング・アルゴリズムを与えるためのチャネル・スケジューラ１３２を含む。チャネル・スケジューラ１３２は、サービス・インターバルの長さを決定し、そのインターバルあいだにデータは、（直近に受信されたＤＲＣ信号に示されるように）遠隔局１０６に関係するデータを受信するための瞬間的なレートに基づいていずれかの特定の遠隔局１０６に送信される。サービス・インターバルは、時間で隣接しないこともあるが、ｎ個のスロット毎に１回発生することができる。１つの実施形態にしたがって、パケットの第１の部分は、最初に第１スロットのあいだに送信され、そして２番目の部分は、４スロット後の後続の時間において送信される。同様に、そのパケットの任意の後続の部分は、同様な４スロットの広がりを有する複数のスロットで、すなわち、互いに４スロット離れて、送信される。１つの実施形態にしたがって、受信しているデータの瞬間的レートＲｉは、特定のデータ・キューに関係付けられたサービス・インターバル長Ｌｉを決定する。
【００１３】
それに加えて、チャネル・スケジューラ１３２は、送信のために特定のデータ・キューを選択する。送信されようとしているデータに関係する品質は、次にデータ・キュー１７２から検索され、そしてそのデータ・キュー１７２に関係付けられた遠隔局１０６へ送信するためにチャネル・エレメント１６８に与えられる。下記に論じられるように、チャネル・スケジューラ１３２は、データを与えるためにキュー１７２を選択し、そのデータは、キュー１７２のそれぞれに関係付けられる重みを含んでいる情報を使用して引き続くサービス・インターバルにおいて送信される。送信されたキュー１７２に関係付けられた重みは、次に更新される。
【００１４】
基地局コントローラ１３０は、パケット・ネットワーク・インターフェース１４６、公衆交換電話ネットワーク（ＰＳＴＮ：Public Switched Telephone Network）、１４８、及び通信システム１２０内の全ての基地局１６０（１つの基地局１６０だけが単純化のために図２に示されている）とインターフェースで接続する。基地局コントローラ１３０は、通信システム１２０内の遠隔局１０６とパケット・ネットワーク・インターフェース１４６及びＰＳＴＮ１４８に接続された他のユーザとの間の通信を調整する。ＰＳＴＮ１４８は、標準電話ネットワーク（図２に示されず）を経由してユーザとインターフェースで接続する。
【００１５】
基地局コントローラ１３０は、複数のセクタ・エレメント１３６を含むが、１つだけが単純化のために図２に示されている。各セクタ・エレメント１３６は、１又はそれより多くの基地局１６０と１つの遠隔局１０６（図示されず）との間の通信を制御するために割り当てられる。セクタ・エレメント１３６が所定の遠隔局１０６にまだ割り当てられていない場合、コール制御プロセッサ１４１は、遠隔局１０６をページングする必要性を知らされる。コール制御プロセッサ１４１は、次に基地局１６０が遠隔局１０６をページングするように指示する。
【００１６】
データ・ソース１２３は、所定の遠隔局１０６に送信されようとしている大量のデータを含む。データ・ソース１２３は、パケット・ネットワーク・インターフェース１４６にデータを提供する。パケット・ネットワーク・インターフェース１４６は、そのデータを受け取り、そしてそのデータをセクタ・エレメント１３６に配送する。セクタ・エレメント１３６は、次に目的の遠隔局１０６と通信しているそれぞれの基地局１６０にそのデータを送信する。具体例の実施形態では、各基地局１６０は、遠隔局１０６に送信されるべきデータを記憶するデータ・キュー１７２を維持管理する。
【００１７】
データは、データ・キュー１７２からチャネル・エレメント１６８にデータ・パケットで伝送される。具体例の実施形態では、順方向リンク上で、“データ・パケット”は、最大１０２４ビットであるデータの量及び予め決められた“タイム・スロット”（例えば、≒１．６６７ｍｓｅｃ）の範囲内で宛て先の遠隔局１０６に送信されようとしているデータの量を呼ぶ。各データ・パケットに対して、チャネル・エレメント１６８は、必要な制御フィールドを挿入する。具体例の実施形態では、チャネル・エレメント１６８は、そのデータ・パケットと制御フィールドの巡回冗長検査（ＣＲＣ：Cyclic Redundancy Check）エンコーディングを実行し、そしてコード・テール・ビットの集合を挿入する。データ・パケット、制御フィールド、ＣＲＣパリティ・ビット及びコード・テール・ビットは、フォーマット化されたパケットを含む。具体例の実施形態では、チャネル・エレメント１６８は、次にフォーマット化されたパケットをエンコードし、そしてエンコードされたパケット内部のシンボルをインターリーブする（すなわち、順番を並べ替える）。具体例の実施形態では、インターリーブされたパケットは、ウォルシュ・カバーを用いてカバーされ、そしてショートＰＮＩ及びＰＮＱコードを用いて拡散される。拡散されたデータは、ＲＦユニット１７０に与えられ、それは信号を直角変調し、フィルタし、増幅する。順方向リンク信号は、順方向リンクにアンテナ１６７を経由して無線を介して送信される。
【００１８】
遠隔局１０６において、順方向リンク信号は、アンテナ１０４により受信され、そして受信機４０８に配信される。受信機は、信号をフィルタし、増幅し、直角復調し、そして量子化する。ディジタル化された信号は、復調器（ＤＥＭＯＤ）に与えられ、そこで信号は、ショートＰＮＩ及びＰＮＱコードを用いて逆拡散され、そしてウォルシュ・カバーを用いて逆カバーされる。復調されたデータは、デコーダ４１０に与えられ、それは基地局１６０で行われた信号処理機能の逆を、具体的に逆インターリービング、デコーディング、そしてＣＲＣ検査機能を実行する。デコードされたデータは、データ・シンク１２４に与えられる。
【００１９】
上に指摘したように、ハードウェアは、順方向リンクを経由するデータ、メッセージ、音声、ビデオ、及びその他の通信の可変レート送信をサポートする。データ・キュー１７２から送信されるデータのレートは、遠隔局１０６における信号強度及びノイズ環境の変化に適応させるために変化する。それぞれの遠隔局１０６は、好ましくは各タイム・スロットにおいて関係する基地局１６０にデータ・レート制御（ＤＲＣ）信号を送信する。ＤＲＣ信号は、基地局１６０に情報を提供する、その情報は遠隔局１０６の識別情報及び遠隔局１０６が自身に関係するデータ・キュー１７２からデータを受け取るレートを含む。したがって、遠隔局１０６において回路は、遠隔局１０６における信号強度を測定しそしてノイズ環境を推定して、ＤＲＣ信号で送信されるべきレート情報を決定する。
【００２０】
各遠隔局１０６により送信されるＤＲＣ信号は、逆方向リンク・チャネルを経由して移動し、そしてＲＦユニット１７０に接続された受信アンテナ１６７を経由して基地局１６０において受信される。具体例の実施形態では、ＤＲＣ情報は、チャネル・エレメント１６８において復調され、そして基地局コントローラ１３０中に設置されたチャネル・スケジューラ１３２に与えられる、又は基地局１６０中に設置されたチャネル・スケジューラ１７４に与えられる。第１の具体例の実施形態では、チャネル・スケジューラ１７４は、基地局１６０中に設置される。代案の実施形態では、チャネル・スケジューラ１３２は、基地局コントローラ１３０中に設置され、そして基地局コントローラ１３０内部の全てのセクタ・エレメント１３６に接続する。
【００２１】
各ＤＲＣインデックスと互換性のあるＦＬ送信フォーマットは、それぞれ、１ｘＥＶ−ＤＯ  Ｒｅｌ−０仕様書と改訂版Ａ仕様書に規定された２組のプロトコル・サブタイプに対して表１に列挙されており、０ｘ０，０ｘ１、及び０ｘ２のＤＲＣインデックスに対する規定された互換性のあるマルチ・ユーザ・フォーマットである、改訂版Ａへの最新の提案の発議された変更を含む。各ＤＲＣインデックスと互換性のあるＦＬ送信フォーマットは、同様に、表２に１ｘＥＶ−ＤＯ改訂版Ｂ仕様書に規定されたプロトコル・サブタイプに対して列挙されている。
【００２２】
ＤＯ改訂版Ａダウンリンク物理層パケットは、それらの送信フォーマットによって規定される。送信フォーマットは、物理層パケット・サイズ（ビット）、公称のパケット期間（スロット）、及びプリアンブル長（チップ）によって規定される順番に並べられた３つの量である。例えば、（１２８，１６，１０２４）は、パケットが１２８ビット・ペイロード、１６スロットの公称の期間、及び１０２４−チップ・プリアンブルを有することを示す。ＤＯ改訂版Ａは、ＤＯ  Ｒｅｌ−０の１０２４、２０４８、３０７２、及び４０９６ビット・パケット・サイズに加えて１２８、２５６、５１２、及び５１２０ビットの新たなパケット・サイズを導入する。それに加えて、ＤＯ改訂版Ａは、１から１６スロットの公称のスパンを認め、結果として４．８ｋｂ／ｓから３．０７２Ｍｂ／ｓまでの範囲のデータ・レートをもたらす。
【００２３】
そのように、改訂版Ａ仕様書におけるように、送信フォーマットは、３つの量（ＰａｃｋｅｔＳｉｚｅ，Ｓｐａｎ，ＰｒｅａｍｂｌｅＬｅｎｇｔｈ）によって表現される。“ＰａｃｋｅｔＳｉｚｅ”は、その送信フォーマットが搬送するビット数であり、巡回冗長コード（ＣＲＣ）とテールを含む。“Ｓｐａｎ”は、送信インスタンスが順方向リンク上で取り上げるはずの、公称の（例えば、最大の）スロット数である。“ＰｒｅａｍｂｌｅＬｅｎｇｔｈ”は、プリアンブル・チップの総数である。１ｘＥＸ−ＤＯ仕様書の改訂版Ａにおけるように、各ＤＲＣに対する“標準的な（canonical）”送信フォーマットは、太字で示されている。
【００２４】
表１に示されるように、要請されたＤＲＣとデータ・レート／パケット・サイズとの間の１対１マッピングは、ＤＯ  Ｒｅｌ−０において使用される。Ｒｅｌ−０は、単一ユーザ送信フォーマットだけを規定するが、ところが改訂版Ａ（及び表２に示される改訂版Ｂ）のある種のサブタイプは、単一ユーザ・フォーマットとマルチ・ユーザ・フォーマットとの両者を規定する。マルチ・ユーザ・パケット（ＭＵＰ：multi-user packet）は、複数のＡＴ（パケット当り最大８つのＡＴ）に対するデータを含んでいる単一物理層パケットである。ダウンリンク・スケジューラは、可能である場合には、マルチ・ユーザ・ダイバーシティを活用するために便宜的なスケジューリングを使用して単一ユーザ・パケット（ＳＵＰ：single-user packet）を取り扱い続ける。表２は、改訂版Ｂが同様に単一ユーザ・フォーマットとマルチ・ユーザ・フォーマットとの両者を規定することを示す。
【００２５】
それに加えて、改訂版Ａでは、複数の送信フォーマットが、ＤＲＣインデックスに対して規定されることがある。すなわち、ＤＯ改訂版ＡにおけるＤＲＣインデックスは、単一ユーザ・パケットとマルチ・ユーザ・パケットに対する関係する送信フォーマットの集合を有する。例えば、ＤＲＣインデックス０ｘ３は、送信フォーマット（１２８，４，２５６）、（２５６，４，２５６）、（５１２，４，２５６）及び（１０２４，４，２５６）に関係付けられ、ここで（１０２４，４，２５６）は、標準的な送信フォーマットとして規定され、そしてＤＯ改訂版０中のＤＲＣインデックス０ｘ３に関係付けられる送信フォーマットである。全てのその他の一貫性を有する上記の送信フォーマットは、非標準的な（non-canonical）送信フォーマットと呼ばれる。ＤＲＣインデックスとそれに関係する送信フォーマットの詳細な一覧表は、表１に与えられる。
【００２６】
同様に、ＤＯ改訂版Ｂ中のＤＲＣインデックスは、単一ユーザ・パケットとマルチ・ユーザ・パケットについての関係する送信フォーマットの集合を有する。ＤＲＣインデックスとそれに関係する送信フォーマットの詳細な一覧表は、表２に与えられる。
【００２７】
ＡＴ１０６は、これらのフォーマットのそれぞれでパケットを受信しようと試みる。マルチ・ユーザ・フォーマットは、それらの固有のＭＡＣインデックスにより区別される、すなわち、各マルチ・ユーザ・フォーマットに対するプリアンブルは、別個のウォルシュ・カバーを使用する。単一ユーザ・フォーマットは、ユーザに割り当てられたＭＡＣインデックスを全て使用する。
【表１−１】
2009503947.tif 000003
【表１−２】
2009503947.tif 000004
【表１−３】
2009503947.tif 000005
【表２−１】
2009503947.tif 000006
【表２−２】
2009503947.tif 000007
【表２−３】
2009503947.tif 000008
【表２−４】
2009503947.tif 000009
思い出させるための注意として、送信インスタンスは、それによって伝達されるべく選択された１又はそれより多くのキュー１７２からのビットの特定の集合を有する送信フォーマットのことを呼ぶ。候補送信インスタンスは、可能性のある送信に対してスケジューラ１７４アルゴリズムにより評価されようとしている送信インスタンスのことを呼ぶ。マルチ・ユーザ送信フォーマット（１０２４，４，２５６）、（２０４８，４，１２８）、（３０７２，２，６４）、（４０９６，２，６４）及び（５１２０，２，６４）は、標準的なマルチ・ユーザ送信フォーマットとして呼ばれる。マルチ・ユーザ送信フォーマット（１２８，４，２５６）、（２５６，４，２５６）及び（５１２，４，２５６）は、“非標準的なマルチ・ユーザ・フォーマット”として呼ばれる。導出された送信フォーマットは、（あたかも前の送信により規定されたフォーマットから得られたかのように）公称の値よりも小さな値に対応する規定されたフォーマットのスパンを設定することによって単純に得られる。まとめると、送信フォーマット及び送信インスタンスは、標準的又は非標準的であり得る；単一ユーザ又はマルチ・ユーザであり得る；そして規定される又は導出され得る。用語“公称のスロット数”は、規定された送信フォーマットの最大スロット数そして導出された送信フォーマットの再規定された最大スロット数を呼ぶために使用される。
【００２８】
高速パケット・データ伝送のためのリンク適応をサポートし、そして特定の所望の送信及び基準をそれぞれが有する増加し続けるユーザ数をサポートするシステムでは、より多くの数のＤＲＣインデックスさえも与えることが望ましいことがある。これは、上記の表１に与えられるもののように、既存の複数のレート又は現在指定されている複数のレートの間の複数のレートを可能にする、データ・レートの細分性（granularity）を追加する。さらに拡張ＤＲＣインデックス・リストを可能にすることは、ＦＬデータ・レートを決定する際により細かな細分性を可能にし、そしてそれゆえより高いピーク・データ・レートを可能にすることができ、そしてハイブリッドＡＱＲ（Ｈ−ＡＲＱ）利得を改善することができる。
【００２９】
ＤＲＣインデックスのリストを増加させることに対する障壁は、ある種の現在のインプリメンテーションにおいてＤＲＣインデックスの送信のために使用するフィールドのサイズである。例えば、１ｘＥＶ−ＤＯ改訂版Ａでは、ＤＲＣ  Ｉｎｄｅｘは、４ビット・フィールドであり、それは結果として１６個の可能なＤＲＣインデックス、２４＝１６、をもたらす。１つの実施形態では、しかしながら、使用する３２個のＤＲＣインデックスのリストがある。ＤＲＣカバーが３ビット値として与えられる場合に、そこではＤＲＣカバーは所望の順方向リンク取り扱いセクタを指示するように機能し、８個のＤＲＣカバー、２３＝８、の可能性がある。１個のＤＲＣカバーは、ＮＵＬＬカバー、ＤＲＣカバー＝０ｘ０、として確保される。ＮＵＬＬカバーを除いて、セル１０２内部の７個の可能性のあるセクタを表すために可能な７個のＤＲＣカバーがある。そのようなシステムでは、ＡＴ１０６は、下記を行うためにＡＮ１２２に情報を送る：ｉ）取り扱いセクタを選択する、そこでは、そのような選択はリンク品質比較に基づいて行われることができる；及びｉｉ）選択された取り扱いセクタからの順方向リンク上の送信のために所望のデータ・レート又は最大データ・レートを見出す。
【００３０】
現在のシステムの制限を使用しつつＤＲＣインデックスの数を増加させるために、第１の実施形態は、各セクタに複数のＤＲＣカバーを割り当てる。アクティブ・セットのサイズが３セクタよりも少ないか又はそれに等しい場合に、そのアクティブ・セット中の各セクタは、２個のＤＲＣカバーを割り当てられる。これは、最大６個のカバー、プラスＮＵＬＬカバーに対して１個を使用する。アクティブ・セットのサイズが、３よりも多い場合には、各セクタに２個を与えるために十分な数のＤＲＣカバーがないので、アクティブ・セット中のあるセクタだけが、２個のＤＲＣカバーを割り当てられる。本実施形態は、１つのセクタを識別するために複数のＤＲＣカバーを与える。アクティブ・セット中の複数のセクタに複数のＤＲＣカバーを割り当てるために様々な方法がある。１つの実施形態が、図４で説明される。複数のＡＮ１２２セクタに対して２−ＤＲＣカバー割当てを使用することは、ＤＲＣカバーのうちの１個が割り当てられる場合にはＤＲＣインデックスが０−１５の範囲になるように、そして他のＤＲＣカバーが割り当てられる場合にはＤＲＣインデックスが１６−３１の範囲になるように与える。上記のように、１ｘＥＶ−ＤＯ改訂版Ａでは、ＤＲＣ  Ｉｎｄｅｘは、４ビットフィールドであり、それは結果として最大１６個の可能なＤＲＣインデックス、２４＝１６、すなわち、第１のカバーに対して０−１５そして第２のカバーに対して１６−３１、をもたらす。
【００３１】
図４では、ＡＴは、（ステップ４２０）で始め、アクティブ・セット中のセクタの数がしきい値（それはこの実施形態では３である）よりも少ないか又はそれに等しいかどうかを最初に判断することにより各セクタに複数のＤＲＣカバーを割り当てる（ステップ４２５）。ステップ４２５に対する答えがイエスである場合には、全てのＤＲＣカバーを各セクタに割り当てる（それはこの実施形態では２個のＤＲＣカバーである）（ステップ４３０）。ステップ４２５に対する答えがノーである場合には、あるセクタに２個のＤＲＣカバーを割り当てる（ステップ４３５）。
【００３２】
ＡＴ１０６が異なる複数のセルとセクタの間を動くので、ＡＴ１０６は、それらのセルとセクタの複数の順方向パイロット・チャネルを受信する。ＡＴ１０６は、各セルからの異なるパイロットを追跡するためにルート更新プロトコルを使用して、無線リンクを維持管理する。そのようにする際に、（ＡＴ１０６において）ルート更新プロトコルは、パイロットのＰＮオフセットによって指定される４つのパイロット・セット、アクティブ・セット、候補セット、隣接セット、及び残りのセット、を維持管理する。逆方向リンク上で、ＡＴ１０６は、Ｒｏｕｔｅ  Ｕｐｄａｔｅ  Ｍｅｓｓａｇｅを送信する。ＡＴ１０６は、ＡＴ１０６の局所無線通信条件（例えば、ＡＴ１０６が認識するパイロットの数）をＡＮ１２２に知らせるために、Ｒｏｕｔｅ  Ｕｐｄａｔｅ  Ｍｅｓｓａｇｅを使用する。
【００３３】
図５ａに例示される実施形態では、ＡＴ１０６は、（ステップ５２０）で始め、それはアクティブ・セット中のセクタの数がしきい値（それは、この実施形態では３である）よりも大きいかどうかを判断することによる（ステップ５２５）。ステップ５２５に対する答えがノーである場合には、各セクタに複数のＤＲＣカバー（それはこの実施形態では２個のＤＲＣカバーである）を割り当てる（ステップ５３０）。ステップ５２５に対する答えがイエスである場合には、もしアクティブ・セット中のパイロットの相対強度が変化すればルート更新メッセージでセクタ・パイロット強度を送信し（ステップ５３５）、そして次にアクティブ・セット中の最も強い３つのセクタに複数の（このケースでは２個の）ＤＲＣカバーを割り当てる（ステップ５４０）。ルート更新プロトコルは、どのアクセス・ポイント１６０が特定のＡＴ１０６に対して使用されようとしているかを追跡するために、そしてＡＴ１０６がシステム全体を動いたとしても良い信号品質を維持するためにもっと良く適しているアクセス・ポイント１６０を識別するために使用されることができる。上記のように、ＡＮ１２２は、アクティブ・セット中の３つの最も強いセクタに複数のＤＲＣカバーを割り当てる（ステップ５４０）。
【００３４】
図５ｂでは、アクティブ・セット中のセクタの数が変化したかどうかを判断する追加のステップ（ステップ５５０）が、加えられる。ステップ５５０に対する答えがイエスであれば、ステップ５２５，５３０，５３５と５４０とを繰り返す。
【００３５】
各ＡＴ１０６は、ＤＳＣチャネルを使用して、ソフト・ハンドオフの間にダウンリンク・サーバの変更が行われる時刻の正確なインスタンスの早めの指示をアクセス・ネットワークに与える。その結果、ＡＴ１０６が新しいサーバ１０６に自身のＤＲＣを示す時刻までに、データ・キュー１７２は、その新しいサーバにおいて速やかに設定される。図６に例示された代わりの実施形態では、ＤＲＣカバーは、データ・ソース・コントロール（ＤＳＣ：Data Source Control）によって指示されるセル１０２の関数としてセクタ毎に割り当てられる。下記はそのような一例である。
【００３６】
（ステップ６００）で始まり、ＤＳＣは、セル１０２を指示し（ステップ６１０）、そしてＤＲＣカバーは、ＤＳＣによって指示されたセルに属している各セクタに対して割り当てられる（ステップ６２０）。
【００３７】
（ステップ６３０）アクティブ・セット中の全てのセル１０２に対してステップ６１０と６２０とを繰り返す、すなわち全てのセルが認識されたか？
ステップ６３０に対する答えがノーである場合には、別の１つのセルに対してステップ６１０と６２０とを繰り返す。
【００３８】
ステップ６３０に対する答えがイエスである場合には、アクティブ・セットへの又はそれからのセルが既に変更されているかどうかを判断する（ステップ６４０）。ステップ６４０に対する答えがイエスである場合には、ステップ６１０，６２０，６３０と６４０とを繰り返す。そのように、セル１０２がセット中のアクティブに追加されるか又は落とされているのであれば、ＤＲＣカバーの割当ては変化する。
【００３９】
ＡＴ１０６ＤＲＣカバー使用量は、チャネル条件、すなわち、ＤＲＣ  Ｉｎｄｅｘ、所望のセクタ、及び所望のセル１０２、の関数である。
【００４０】
図７のフローチャートに例示された１つの実施形態では、ＡＮ１２２は、特定のセル設定及び現在の動作条件に対して利用可能なＤＲＣカバーの数を最初に決定する（ステップ７０５）。一旦、ＤＲＣカバーが決定されると、ＡＮ１２２は、ＤＲＣインデックスの拡張リストへのセクタに対する複数のＤＲＣカバーのマッピングを決定する。本実施形態では、拡張リストは、１６インデックスの倍数である（ステップ７１０）。マッピング情報は、ＡＴ１０６に送られる（ステップ７１２）。ＡＴ１０６は、チャネル品質測定、同様に別のリンク適応測定及び計算を実行して、所望のデータ・レートを決定する（ステップ７１５）。所望のデータ・レートは、拡張ＤＲＣインデックス・リスト中で見つけられ（ステップ７１７）、そしてＤＲＣＩｎｄｅｘとＤＲＣ  Ｃｏｖｅｒの組み合わせは、ＡＮ１２２に送信され、拡張ＤＲＣＩｎｄｅｘリスト中の所望のデータ・レートを識別する（ステップ７２０）。
【００４１】
ＡＴ１０６は、複数のＤＲＣカバーが同じセクタを参照するという情報を有する。１つの例では、３つのセクタがアクティブ・セット中にあり、そしてＡＮ１２２は、個々のセクタに複数のＤＲＣ  Ｃｏｖｅｒを割り当てる。例えば、ＡＮ１２２は、第１のセクタにＤＲＣ  Ｃｏｖｅｒ“ａ”を割り当て、そしてしかも第１のセクタにＤＲＣ  Ｃｏｖｅｒ“ｂ”も割り当てる（ステップ７３０）。ＡＮ１２２は、この情報をＡＴ１０６に送る（ステップ７４０）。ＡＴ１０６は、次にＤＲＣ  Ｃｏｖｅｒ“ａ”を第１のセクタに対するＤＲＣインデックスの１つの集合を識別するために、そしてＤＲＣ  Ｃｏｖｅｒ“ｂ”をＤＲＣインデックスの別の１つの集合を識別するために使用することが可能である。
【００４２】
拡張ＤＲＣインデックス・リストは、様々な方法で設定されることができる。１つの実施形態は、ＤＲＣＩｎｄｅｘの全ビット長（４ビット）及びＤＲＣ  Ｃｏｖｅｒの全ビット長（３ビット）を使用して、ＮＵＬＬカバーに対する１つのＤＲＣ値を含む１２８個のＤＲＣインデックス、すなわち、２７インデックス、をアクセスする。図８参照。本実施形態は、ＡＴ１０６がそのアクティブ・セット中の１つのセクタだけを割り当てられると仮定する。拡張ＤＲＣインデックスは、利用可能なデータ・レートの細分性をさらに細かくすることができる、すなわち、データ・レートの範囲を拡張することができる。同様に、細分性は、データ・レートの範囲の特定の部分範囲にだけ追加されることができる。拡張ＤＲＣインデックスを割り当てるための様々な方法がある。
【００４３】
上記のフローチャートにおいて実行されるステップは、１つの実施形態では、命令としてメモリ４１６中に記憶されることができ、その命令はプロセッサ又はプロセッサ手段により、又は遠隔局１０６中のプロセッサ・ユニット４１４及び／又はＤＲＣインデックス制御手段４４０により及び／又は別の１つのプロセッサ又はコントローラによって実行されることができる。図３参照。
【００４４】
上記のフローチャートで実行されたステップは、１つの実施形態では、複数の命令としてメモリ１３５，１７５中に記憶されることができ、その命令は、アクセス・ネットワーク１２２中のプロセッサ又はプロセッサ手段又はプロセッサ・ユニット又は制御ユニット（例えば、チャネル・スケジューラ１３２、１７４）によって実行されることができる。図２参照。
【００４５】
上に説明された図４，５ａ，５ｂ，６，及び７の方法及び装置は、それぞれ図９，１０ａ，１０ｂ，１１及び１２に例示された対応する手段プラス機能ブロックによって実行される。言い換えると、図４の装置４２０，４２５，４３０及び４３５は、図９の手段プラス機能ブロック９２０，９２５，９３０及び９３５に対応する。図５ａの装置５２０，５２５，５３０，５３５及び５４０は、図１０ａの対応する手段プラス機能ブロック１０２０，１０２５，１０３０，１０３５及び１０４０によって実行される。図５ｂの装置５２０，５２５，５３０，５３５，５４０及び５５０は、図１０ｂの対応する手段プラス機能ブロック１０２０，１０２５，１０３０，１０３５，１０４０及び１０５０によって実行される。図６に例示された装置６００，６１０，６２０，６３０及び６４０は、図１１の対応する手段プラス機能ブロック１１００，１１１０，１１２０，１１３０及び１１４０によって実行される。図７に例示された装置７０５，７１０，７１２，７１５，７１７，７２０，７３０及び７４０は、図１２の対応する手段プラス機能ブロック１２０５，１２１０，１２１２，１２１５，１２１７，１２２０，１２３０及び１２４０によって実行される。
【００４６】
情報及び信号が、様々な異なる技術及び技法のいずれかを使用して表わされることができることを、当業者は、理解するはずである。例えば、上記の説明の全体を通して参照されることができる、データ、命令、コマンド、情報、信号、ビット、シンボル、及びチップは、電圧、電流、電磁波、磁場又は磁力粒子、光場又は光粒子、若しくはこれらの任意の組み合わせによって表わされることができる。
【００４７】
本明細書中に開示された実施形態に関連して説明された様々な例示的な論理ブロック、モジュール、回路及びアルゴリズムのステップが、電子ハードウェア、コンピュータ・ソフトウェア又は両者の組み合わせとして与えられることができることを、当業者は、さらに認識するはずである。ハードウェアとソフトウェアとのこの互換性を明確に説明するために、様々な例示的な複数の構成要素、ブロック、モジュール、回路、及びステップが、それらの機能性の面から一般的に上に説明されてきている。そのような機能性が、ハードウェア又はソフトウェアとして与えられるかどうかは、個々のアプリケーション及びシステム全体に課せられた設計の制約に依存する。知識のある者は、説明された機能性をそれぞれの個々のアプリケーションに対して違ったやり方で実行することができる。しかし、そのような実行の判断は、本発明の範囲からの逸脱を生じさせるように解釈されるべきではない。
【００４８】
本明細書中に開示された実施形態に関連して説明された、様々な例示的な論理ブロック、モジュール、及び回路は、汎用プロセッサ、ディジタル信号プロセッサ（ＤＳＰ：digital signal processor）、用途特定集積回路（ＡＳＩＣ：application specific integrated circuit）、フィールド・プログラマブル・ゲートアレイ（ＦＰＧＡ：field programmable gate array）又は他のプログラマブル論理デバイス、ディスクリート・ゲート論理回路又はトランジスタ論理回路、ディスクリート・ハードウェア・コンポーネント、又は本明細書中で説明された機能を実行するために設計されたこれらのいずれかの組み合わせで、与えられる又は実行されることができる。汎用プロセッサは、マイクロプロセッサであり得るが、しかし代わりに、プロセッサは、いずれかの従来型のプロセッサ、コントローラ、マイクロコントローラ、又はステート・マシンであり得る。プロセッサは、演算デバイスの組み合わせとして与えられることができる。例えば、ＤＳＰとマイクロプロセッサとの組み合わせ、複数のマイクロプロセッサの組み合わせ、ＤＳＰコアとともに１又はそれより多くのマイクロプロセッサの組み合わせ、若しくはいずれかの別のそのような構成の組み合わせであり得る。
【００４９】
本明細書中に開示された実施形態に関連して説明された方法又はアルゴリズムは、ハードウェアで直接的に、プロセッサにより実行されるソフトウェア・モジュールで、又は両者の組み合わせで実現されることができる。ソフトウェア・モジュールは、ランダム・アクセス・メモリ（ＲＡＭ）、フラッシュ・メモリ、読み取り専用メモリ（ＲＯＭ）、電気的書き込み可能ＲＯＭ（ＥＰＲＯＭ）、電気的消去書き込み可能ＲＯＭ（ＥＥＰＲＯＭ）、レジスタ、ハード・ディスク、脱着可能なディスク、ＣＤ−ＲＯＭ、又はこの分野において公知のいずれかの他の形式の記憶媒体の中に存在できる。ある具体例の記憶媒体は、プロセッサが記憶媒体から情報を読み出し、そこに情報を書き込めることができるようにプロセッサと接続される。あるいは、記憶媒体は、プロセッサに集積されることができる。プロセッサ及び記憶媒体は、ＡＳＩＣ中に存在できる。ＡＳＩＣは、ユーザ端末中に存在できる。あるいは、プロセッサ及び記憶媒体は、ユーザ端末中の単体素子として存在できる。
【００５０】
開示された実施形態の様々な説明は、当業者が、本発明を作成する又は使用することを可能にするために提供される。これらの実施形態への様々な変形は、当業者に容易に明白にされるであろう。そして、ここで規定された一般的な原理は、本発明の精神又は範囲から逸脱することなく他の例に適用されることができる。それゆえ、本発明は、本明細書中に示された実施形態に制限することを意図したものではなく、本明細書中に開示した原理及び新奇な機能と整合する最も広い範囲に適用されるものである。
【図面の簡単な説明】
【００５１】
【図１】図１は、無線通信システムである。
【図２】図２は、基地局コントローラと基地局とを含む通信システムの一部である。
【図３】図３は、拡張ＤＲＣインデックス・リストをサポートするアクセス端末である。
【図４】図４は、１つのセクタに複数のＤＲＣカバーを割り当てるときに実行されるステップを例示するフローチャートである。
【図５ａ】図５ａは、複数のＤＲＣカバーを割り当てるときに実行されるステップを例示するフローチャートである。
【図５ｂ】図５ｂは、複数のＤＲＣカバーを割り当てるときに実行されるステップを例示するフローチャートである。
【図６】図６は、無線通信システム中の複数のセルにＤＲＣカバーを割り当てるときに実行されるステップを例示するフローチャートである。
【図７】図７は、無線通信システム中の１つのセクタに複数のＤＲＣカバーを割り当てるときに実行されるステップを例示するフローチャートである。
【図８】図８は、本方法及び装置の拡張７ビットＤＲＣインデックスを例示する。
【図９】図９は、１つのセクタに複数のＤＲＣカバーを割り当てるための手段を例示する機能的ブロック図である。
【図１０ａ】図１０ａは、複数のＤＲＣカバーを割り当てるための手段を例示する機能的ブロック図である。
【図１０ｂ】図１０ｂは、複数のＤＲＣカバーを割り当てるための手段を例示する機能的ブロック図である。
【図１１】図１１は、無線通信システム中の複数のセルにＤＲＣカバーを割り当てるための手段を例示する機能的ブロック図である。
【図１２】図１２は、無線通信システム中の１つのセクタに複数のＤＲＣカバーを割り当てるための手段を例示する機能的ブロック図である。
【符号の説明】
【００５２】
１０２…セル，１０４…アンテナ，１０６…遠隔局（アクセス端末），１２０…通信システム，１２２…アクセス・ネットワーク，１３０…基地局コントローラ，１６０…基地局（アクセス・ポイント），１６７…アンテナ。
【図１】
2009503947.tif 000010
【図２】
2009503947.tif 000011
【図３】
2009503947.tif 000012
【図４】
2009503947.tif 000013
【図５ａ】
2009503947.tif 000014
【図５ｂ】
2009503947.tif 000015
【図６】
2009503947.tif 000016
【図７】
2009503947.tif 000017
【図８】
2009503947.tif 000018
【図９】
2009503947.tif 000019
【図１０ａ】
2009503947.tif 000020
【図１０ｂ】
2009503947.tif 000021
【図１１】
2009503947.tif 000022
【図１２】
2009503947.tif 000023
【国際調査報告】
2009503947.tif 000024
2009503947.tif 000025